(57)【要約】      （修正有）【課題】画像の出力を行うユーザに対し、そのユーザが興味のある情報をより確実に提示できるようにする。【解決手段】読取の指示を受け付けるに際し情報端末から第２キーワードを取得しＳ２、読取手段が読み取った画像中に現れる第１キーワードを取得しＳ４、出力手段による上記画像の出力の指示を受け付けるに際し情報端末から第３キーワードを取得しＳ８、第１キーワード、第２キーワード及び第３キーワードとから、第４キーワードを特定しＳ１３、その特定した第４キーワードに基づき取得した情報を、画像の出力中に、その出力に用いる出力手段と対応する提示手段に提示させるようにしたＳ１８。【選択図】図７
2015176577.tif 000002
【特許請求の範囲】
【請求項１】
原稿の画像を読み取る読取手段と、
前記読取手段が読み取った画像中に現れるキーワードである第１キーワードを取得する第１取得手段と、
前記読取手段による読取の指示を受け付けるに際し情報端末から第２キーワードを取得する第２取得手段と、
前記読取手段が読み取った画像と、前記第１キーワードと、前記第２キーワードとを対応付けて保存する保存手段と、
前記保存手段が保存した画像を出力する出力手段と、
前記出力手段による出力の指示を受け付けるに際し情報端末から第３キーワードを取得する第３取得手段と、
前記出力手段が出力する画像と対応付けて保存されている第１キーワード及び第２キーワードと、前記第３取得手段が取得した第３キーワードとから、第４キーワードを特定する特定手段と、
前記特定手段が特定した第４キーワードに基づき取得した情報を、前記出力手段による画像の出力中に、前記出力手段と対応する提示手段に提示させる制御手段とを備えることを特徴とする情報提示システム。
【請求項２】
請求項１に記載の情報提示システムであって、
前記特定手段は、前記第１キーワード、前記第２キーワード及び前記第３キーワードに共通して含まれるキーワードを、前記第４キーワードとして特定することを特徴とする情報提示システム。
【請求項３】
請求項２に記載の情報提示システムであって、
前記特定手段は、前記第１キーワード、前記第２キーワード及び前記第３キーワードに共通して含まれるキーワードがない場合には、前記第１キーワードと前記第２キーワードとに共通して含まれるキーワード及び前記第１キーワードと前記第３キーワードとに共通して含まれるキーワードのいずれかを、前記第４キーワードとして特定することを特徴とする情報提示システム。
【請求項４】
請求項１乃至３のいずれか一項に記載の情報提示システムであって、
前記特定手段は、前記第１キーワードに含まれるキーワードと前記第２キーワードに含まれるキーワードと前記第３キーワードに含まれるキーワードとに重なりがない場合、前記第４キーワードを特定しないことを特徴とする情報提示システム。
【請求項５】
請求項１乃至４のいずれか一項に記載の情報提示システムであって、
前記第１取得手段は、前記第１キーワードの前記画像中における出現回数の情報も取得する手段であり、
前記特定手段は、前記出現回数の情報にも基づいて、前記第４キーワードを特定することを特徴とする情報提示システム。
【請求項６】
請求項１乃至５のいずれか一項に記載の情報提示システムであって、
前記特定手段は、前記第３キーワードと関連の強い文字列を、前記第４キーワードとして優先的に特定することを特徴とする情報提示システム。
【請求項７】
請求項１乃至６のいずれか一項に記載の情報提示システムであって、
前記出力手段による前記画像の出力に要する時間を予測する予測手段を備え、
前記制御手段は、前記特定手段が特定した第４キーワードに基づき検出された、提示させるべき情報の候補のうち、どの候補を前記提示手段に提示させるかを、前記予測手段が予測した時間と、該各候補の提示に要する時間とに基づき決定することを特徴とする情報提示システム。
【請求項８】
請求項１乃至７のいずれか一項に記載の情報提示システムであって、
前記制御手段は、前記特定手段が特定した第４キーワードに基づき検出された、提示させるべき情報の候補のうち、どの候補を前記提示手段に提示させるかを、前記提示手段が備える提示機能の水準と、該各候補の提示に適した提示機能の水準とに基づき決定することを特徴とする情報提示システム。
【請求項９】
請求項８に記載の情報提示システムであって、
前記制御手段は、前記特定手段が特定した第４キーワードに基づき検出された、提示させるべき情報の候補のうち、どの候補を前記提示手段に提示させるかを、前記提示手段が提示可能な色数と、該各候補に含まれる色数とに基づき決定することを特徴とする情報提示システム。
【請求項１０】
請求項８に記載の情報提示システムであって、
前記制御手段は、前記特定手段が特定した第４キーワードに基づき検出された、提示させるべき情報の候補のうち、どの候補を前記提示手段に提示させるかを、前記提示手段が提示可能な画像のサイズと、該各候補に含まれる画像のサイズとに基づき決定することを特徴とする情報提示システム。
【請求項１１】
原稿の画像を読み取る読取手順と、
前記読取手順で読み取った画像中に現れるキーワードである第１キーワードを取得する第１取得手順と、
前記読取手順による読取の指示を受け付けるに際し情報端末から第２キーワードを取得する第２取得手順と、
前記読取手順で読み取った画像と、前記第１キーワードと、前記第２キーワードとを対応付けて保存手段に保存する保存手順と、
前記保存手順で保存した画像を出力手段により出力する出力手順と、
前記出力手順による出力の指示を受け付けるに際し情報端末から第３キーワードを取得する第３取得手順と、
前記出力手順で出力する画像と対応付けて保存されている第１キーワード及び第２キーワードと、前記第３取得手順で取得した第３キーワードとから、第４キーワードを特定する特定手順と、
前記特定手順で特定した第４キーワードに基づき取得した情報を、前記出力手順による画像の出力中に、前記出力手段と対応する提示手段に提示させる制御手順とを備えることを特徴とする情報提示方法。
【請求項１２】
画像入力装置と画像出力装置とを備える情報提示システムであって、
前記画像入力装置が、
原稿の画像を読み取る読取手段と、
前記読取手段が読み取った画像中に現れるキーワードである第１キーワードを取得する第１取得手段と、
前記読取手段による読取の指示を受け付けるに際し情報端末から第２キーワードを取得する第２取得手段とを備え、
前記画像入力装置又は前記画像出力装置が、
前記読取手段が読み取った画像と、前記第１キーワードと、前記第２キーワードとを対応付けて保存する保存手段を備え、
前記画像出力装置が、
前記保存手段が保存した画像を出力する出力手段と、
前記出力手段による出力の指示を受け付けるに際し情報端末から第３キーワードを取得する第３取得手段と、
前記出力手段が出力する画像と対応付けて保存されている第１キーワード及び第２キーワードと、前記第３取得手段が取得した第３キーワードとから、第４キーワードを特定する特定手段と、
前記特定手段が特定した第４キーワードに基づき取得した情報を、前記出力手段による画像の出力中に、前記出力手段と対応する提示手段に提示させる制御手段とを備えることを特徴とする情報提示システム。
【請求項１３】
画像入出力装置と情報処理装置とを備える情報提示システムであって、
前記画像入出力装置が、
原稿の画像を読み取る読取手段と、
前記読取手段が読み取った画像中に現れるキーワードである第１キーワードを取得する第１取得手段と、
前記読取手段による読取の指示を受け付けるに際し情報端末から第２キーワードを取得する第２取得手段とを備え、
前記情報処理装置が、
前記読取手段が読み取った画像と、前記第１キーワードと、前記第２キーワードとを対応付けて保存する保存手段を備え、
前記画像入出力装置がさらに、
前記保存手段が保存した画像を出力する出力手段と、
前記出力手段による出力の指示を受け付けるに際し情報端末から第３キーワードを取得する第３取得手段と、
前記出力手段が出力する画像と対応付けて保存されている第１キーワード及び第２キーワードと、前記第３取得手段が取得した第３キーワードとから、第４キーワードを特定する特定手段と、
前記特定手段が特定した第４キーワードに基づき取得した情報を、前記出力手段による画像の出力中に、前記出力手段と対応する提示手段に提示させる制御手段とを備えることを特徴とする情報提示システム。
【請求項１４】
原稿の画像を読み取る読取手段と、
前記読取手段が読み取った画像中に現れるキーワードである第１キーワードを取得する第１取得手段と、
前記読取手段による読取の指示を受け付けるに際し情報端末から第２キーワードを取得する第２取得手段と、
前記読取手段が読み取った画像と、前記第１キーワードと、前記第２キーワードとを対応付けて保存する保存手段と、
前記保存手段が保存した画像を出力する出力手段と、
前記出力手段による出力の指示を受け付けるに際し情報端末から第３キーワードを取得する第３取得手段と、
前記出力手段が出力する画像と対応付けて保存されている第１キーワード及び第２キーワードと、前記第３取得手段が取得した第３キーワードとから、第４キーワードを特定する特定手段と、
前記特定手段が特定した第４キーワードに基づき取得した情報を、前記出力手段による画像の出力中に、前記出力手段と対応する提示手段に提示させる制御手段とを備えることを特徴とする画像入出力装置。
【発明の詳細な説明】
【技術分野】
【０００１】
この発明は、情報提示システム、情報提示方法及び画像入出力装置に関する。
【背景技術】
【０００２】
近年、ある複写機でスキャンした画像を、ネットワーク上のどこかに一時保存しておき、別の複写機から印刷するという機能が知られている。複写機に装着された周辺機器を効率的に利用したい、スキャンした場所から離れた場所、任意の場所の複写機で印刷したい、という要望が背景にある。
【０００３】
一方、印刷中などの機器の動作中は、利用者は機器の前で待たされることになる。そこで、この時間に広告を表示して、待ち時間を有効活用しようとする機能が開発されている。特に複写機の広告機能では、スキャンした画像のＯＣＲ（optical  character  recognition）結果の文字列情報から広告内容を選定する機能も提案されている。
【０００４】
例えば、特許文献１では、原稿のＯＣＲ結果の文字列と、利用者のキーワードを比較して、それらに共通するキーワードと付けて記憶されている広告を原稿に合成印刷することが提案されている。
特許文献２では、原稿をＯＣＲして、原稿と関係する広告を原稿の空白領域に合成印刷することが提案されている。
特許文献３では、ＦＡＸ受信文書に対してＯＣＲを実施して、予め登録された文字列と一致する文書の有無で、印刷文書へ所定の印字をする/しないを切り替えることが提案されている。
【発明の概要】
【発明が解決しようとする課題】
【０００５】
しかし、上述した従来の技術では、ユーザの興味のある広告を十分な確実性をもって選択することができていなかった。例えば、スキャンする原稿枚数にはシステムのリソースが許す限りは上限がないので、ＯＣＲ結果として大量のキーワードが発生する。従って、このキーワードと印刷出力する利用者の特性（キーワード）でＡＮＤを取って広告検索用キーワードを求めたとしても、広告検索用キーワードが多量に現れてしまい、最終的に選択される広告の幅を狭めきれないおそれがある。
このような問題は、広告以外の情報を提示する場合でも、同様に発生し得るものである。
【０００６】
この発明は、このような問題を解決し、画像の出力を行うユーザに対し、そのユーザが興味のある情報をより確実に提示できるようにすることを目的とする。
【課題を解決するための手段】
【０００７】
以上の目的を達成するため、この発明の情報提示システムは、原稿の画像を読み取る読取手段と、上記読取手段が読み取った画像中に現れるキーワードである第１キーワードを取得する第１取得手段と、上記読取手段による読取の指示を受け付けるに際し情報端末から第２キーワードを取得する第２取得手段と、上記読取手段が読み取った画像と、上記第１キーワードと、上記第２キーワードとを対応付けて保存する保存手段と、上記保存手段が保存した画像を出力する出力手段と、上記出力手段による出力の指示を受け付けるに際し情報端末から第３キーワードを取得する第３取得手段と、上記出力手段が出力する画像と対応付けて保存されている第１キーワード及び第２キーワードと、上記第３取得手段が取得した第３キーワードとから、第４キーワードを特定する特定手段と、上記特定手段が特定した第４キーワードに基づき取得した情報を、上記出力手段による画像の出力中に、上記出力手段と対応する提示手段に提示させる制御手段とを設けたものである。
【発明の効果】
【０００８】
上記構成によれば、画像の出力を行うユーザに対し、そのユーザが興味のある情報をより確実に提示できる。
【図面の簡単な説明】
【０００９】
【図１】この発明の情報提示システムの一実施形態である、ＭＦＰを備えた画像処理システムの構成を示す図である。
【図２】図１に示したＭＦＰ１０のハードウェア構成を示す図である。
【図３】図１に示したサーバ装置３０のハードウェア構成を示す図である。
【図４】図１に示したＭＦＰ１０が備える、画像の入力及び広告の表示に関連する機能の構成を示す図である。
【図５】同じくＭＦＰ２０が備える、画像の出力及び広告の表示に関連する機能の構成を示す図である。
【図６】同じくサーバ装置３０が備える、画像の入出力及び広告の表示に関連する機能の構成を示す図である。
【図７】ＭＦＰ１０，２０及びサーバ装置３０の動作手順の第１例を示す図である。
【図８】第１動作例における広告取得用キーワードの特定方法について説明するための図である。
【図９】ＭＦＰ１０，２０及びサーバ装置３０の動作手順の第２例を示す図である。
【図１０】第２動作例における広告取得用キーワードの特定方法について説明するための図である。
【図１１】ＭＦＰ１０，２０及びサーバ装置３０の動作手順の第３例を示す図である。
【図１２】第３動作例における広告取得用キーワードの特定方法について説明するための図である。
【図１３】ＭＦＰ１０，２０及びサーバ装置３０の動作手順の第４例を示す図である。
【図１４】第４動作例における広告取得用キーワードの特定方法について説明するための図である。
【図１５】第４動作例における広告取得用キーワードの特定方法について説明するための別の図である。
【図１６】ＭＦＰ１０，２０及びサーバ装置３０の動作手順の第５例を示す図である。
【発明を実施するための形態】
【００１０】
以下、この発明を実施するための形態について、具体的に説明する。
まず図１に、この発明の情報提示システムの一実施形態である、ＭＦＰ（デジタル複合機）を備えた画像処理システムの構成を示す。
【００１１】
図１に示すように、この画像処理システムは、ＭＦＰ１０と、ＭＦＰ２０と、サーバ装置３０とを、イントラネット５１により接続して構成したものである。
イントラネット５１は、オフィスや支社を跨ぐ閉域ＩＰ(Internet  Protocol)網による広域ＷＡＮ(Wide  Area  Network)であり、インターネット５３との間にファイアウォール５２を設けている。
【００１２】
ＭＦＰ１０及びＭＦＰ２０は、それぞれ原稿の画像読み取り、用紙への画像形成、画像データの送受信、画像データの蓄積等の種々の画像入出力機能を備える画像処理装置である。ただし、全てのＭＦＰが同じハードウェアを備えている必要はないし、装置によって提供可能な機能が異なっていてよい。
サーバ装置３０は、イントラネット５１上に設けた、ＭＦＰ１０，２０を含むＭＦＰから送信される画像データと、後述するキーワードのデータとを対応付けて文書データとして保存する機能を備える。また、ＭＦＰからの要求に応じて、保存している文書データのリストや、指定された文書データをそのＭＦＰに送信する機能を備える。
【００１３】
図１の構成において、ＭＦＰは不図示のものを含めてイントラネット５１内部に点在しており、ユーザは任意の場所のＭＦＰで原稿を読み取らせてサーバ装置３０へアップロードすることができる。また、任意の場所のＭＦＰからオンデマンドでその画像をダウンロードし印刷することができる。このとき、印刷中に、利用者は、ダウンロード〜転写〜全頁排紙までの間、ＭＦＰの前で待たされることになるので、この時間を情報提示（この実施形態では広告表示だが、これに限られない）の時間として利用する。
【００１４】
表示する広告のデータは、インターネット５３上の広告用サーバ４０から取得する。広告用サーバ４０はパブリッククラウド上に有り、広告サービスを提供する事業者が管理する。サービスを受けるユーザは広告用サーバ４０を共用する。広告用サーバ４０は、googleやyahooなどの検索サイトと同様の仕組みで、広告に対して１又は複数のキーワードを紐づけて管理する。広告取得用のキーワードを入力されたら、そのキーワードと対応する報告を検索し、ヒットした広告を１又は複数を出力する。広告用サーバ４０は、キーワードが入力されない場合であっても何らかの広告を出力することができる。
【００１５】
ここでは、閉域ＩＰ網内には、ＭＦＰにより原稿をスキャンして電子文書を作成しプライベートクラウド上（サーバ装置３０）へアップロードするユーザ１１と、ＭＦＰによりそれを印刷するユーザ２１が存在する。
【００１６】
また、ユーザ１１，２１は、ＭＦＰを利用する際には、モバイル端末１２，２２をＭＦＰにかざすことで、ＮＦＣ（Near field communication）規格等の近距離無線通信１３，２３により、モバイル端末内のキーワード情報をＭＦＰに転送することが求められる。モバイル端末１２，２２の中では、googleやyahooなどの検索サイトで検索した文字列の履歴や、ＳＮＳ（Social Networking Service）で興味を示した履歴（”いいね！”を押した履歴など）のキーワードがメモリへ蓄積されている。これらのキーワード（文字列）を「利用者の興味」としてＭＦＰへ取り込む。モバイル端末１２，２２は、スマートフォンやタブレットコンピュータ等の、持ち運び可能な情報端末である。
【００１７】
次に、図２に、図１に示したＭＦＰ１０のハードウェア構成を示す。ＭＦＰ２０も、ハードウェア構成は同様である。
ＭＦＰ１０は、図２に示すように、ＣＰＵ１０１、ＲＯＭ１０２、ＲＡＭ１０３、ＨＤＤ（ハードディスクドライブ）１０４、通信Ｉ／Ｆ（インタフェース）１０５、表示部１０６、操作部１０７、近接通信装置１０８及びエンジンＩ／Ｆ１０９を備え、それらをシステムバス１１０により接続した構成としている。また、エンジン部１１１がエンジンＩ／Ｆ１０９に接続されている。
【００１８】
そして、ＣＰＵ１０１が、ＲＡＭ１０３をワークエリアとしてＲＯＭ１０２又はＨＤＤ１０４に記憶されたプログラムを実行することにより、ＭＦＰ１０全体を制御し、図４を用いて後述するものをはじめとする種々の機能を実現する。例えば、読み取った原稿の画像中に現れるキーワードを取得し、その画像とキーワードとを対応付けてサーバ装置３０に保存させる機能である。
【００１９】
ＨＤＤ１０４は、不揮発性記憶媒体（記憶手段）であり、ＣＰＵ１０１が実行する各種プログラムや後述する各種データを格納している。
通信Ｉ／Ｆ１０５は、イントラネット５１等のネットワークを介して他のＭＦＰをはじめとする外部装置と通信するためのインタフェースである。
【００２０】
表示部１０６は、ディスプレイ等の、ユーザに情報を提示するための表示手段である。表示部１０６が提示する情報には、ＭＦＰ１０の設定情報や動作状態の他、広告等、ＭＦＰ１０の動作に直接関係ない情報も含まれる。
操作部１０７は、各種キー、ボタン、タッチパネル等の、ユーザから操作を受け付けるための操作手段である。
なお、表示部１０６や操作部１０７が外付けであったり、ＭＦＰ１０がネットワークを介して外部の端末装置から操作を受け付けることができるようにしたりしてもよい。
【００２１】
近接通信装置１０８は、例えばＮＦＣ規格に従った通信インタフェースであり、近傍にある、対応する通信インフェースを備える装置との間で、近距離無線通信を行って情報を送受信する機能を備える。
エンジンＩ／Ｆ１０９は、エンジン部１１１をシステムバス１１０に接続してＣＰＵ１０１から制御可能とするためのインタフェースである。
エンジン部１１１は、用紙の画像を形成するための画像形成部（プロッタ）、用紙の画像を読み取るための画像読取部（スキャナ）、画像形成に供する用紙を載置し給紙する給紙部、用紙を搬送する搬送部など、通信及び情報処理以外の各種動作を行うための機構である。上述の通り、装置の個体によって備える機能が異なっていてよい。
【００２２】
次に、図３に、図１に示したサーバ装置３０のハードウェア構成を示す。
サーバ装置３０は、図３に示すように、ＣＰＵ３０１、ＲＯＭ３０２、ＲＡＭ３０３、ＨＤＤ３０４、通信Ｉ／Ｆ３０５、ＵＩ部３０６を備え、それらをシステムバス３０７により接続した構成としている。
【００２３】
そして、ＣＰＵ３０１が、ＲＡＭ３０３をワークエリアとしてＲＯＭ３０２又はＨＤＤ３０４に記憶されたプログラムを実行することにより、サーバ装置３０全体を制御し、図６を用いて後述するものをはじめとする種々の機能を実現する。例えば、ＭＦＰから送信される画像データを、後述するキーワードと対応付けて保存する機能である。
ＨＤＤ３０４は、不揮発性記憶媒体（記憶手段）であり、ＣＰＵ３０１が実行する各種プログラムや後述する各種データを格納している。
通信Ｉ／Ｆ３０５は、イントラネット５１を介してＭＦＰ１０，２０をはじめとする外部装置と通信するためのインタフェースである。
【００２４】
ＵＩ部３０６は、ユーザに対し情報を表示し、またユーザの操作を受け付ける手段であるが、サーバ装置３０を外部の不図示のＰＣ（パーソナルコンピュータ）等からリモートで制御する場合には、設けなくてもよい。
以上の画像処理システムにおいて特徴的な点は、出力機において画像を出力する際に行う、その画像出力以外の情報の提示（上述のようにこの実施形態では広告の表示）に関する機能である。以下、この点について説明する。
【００２５】
まず図４に、ＭＦＰ１０が備える、画像の入力及び広告の表示に関連する機能の構成を示す。
図４に示すように、ＭＦＰ１０は、システム制御部１２１、スキャナ制御部１２２、データ送出部１２３、操作表示部１２４、ＯＣＲ部１２５、識別キーワード計数部１２６、近接データ通信制御部１２７、ネットワーク通信制御部１２８、第１記憶部１２９、第２記憶部１３０及び第３記憶部１３１を備える。これらの各部の機能は、ＣＰＵ１０１が所要のプログラムを実行して図２に示したハードウェアを制御することにより実現されるものである。
【００２６】
このうちシステム制御部１２１は、ＭＦＰ１０全体を制御する機能を備える。
スキャナ制御部１２２は、エンジン部１１１に備えるスキャナを制御して原稿の画像を読み取り画像情報を取り出す機能を備える。
データ送出部１２３は、ネットワーク通信制御部１２８を利用して、ローカルメモリ上のデータをイントラネット５１に送信することができる。例えば、スキャナ制御部１２２が読み取りで得た画像情報を、後述のキーワードの情報と共にサーバ装置３０へ送出して保存させることができる。
【００２７】
操作表示部１２４は、表示部１０６及び操作部１０７を制御して、ユーザに対して情報を表示したり、ユーザからの操作を受け付けたりする機能を備える。
ＯＣＲ部１２５は、スキャナ制御部１２２が読み取りで得た画像情報に対してＯＣＲ処理を実行し、画像情報中に含まれる文字の情報を取得する機能を備える。また、取得した文字のうち意味のある文字列を、任意の数のキーワード（第１キーワード）として検出する第１取得手段の機能も備える。
【００２８】
識別キーワード計数部１２６は、ＯＣＲ部１２５が検出した各キーワードの、画像情報中の出現回数を計数する機能を備える。ここでは、１ページだけでなく、一連の文書として読み取った画像全体での出現回数を計数するものとする。この識別キーワード計数部１２６も第１取得手段として機能する。
【００２９】
近接データ通信制御部１２７は、近接通信装置１０８を制御して、モバイル端末１２，２２等の外部装置とデータをやりとりする機能を備える。この機能により、例えば、ＭＦＰ１０に原稿の読み取りを実行させようとするユーザ１１のモバイル端末１２から、利用者の興味を示す任意の数のキーワード（第２キーワード）を取得することができる。この場合、近接データ通信制御部１２７が第２取得手段として機能する。
【００３０】
ネットワーク通信制御部１２８は、イントラネット５１に対してパケットデータの送受信を行うものである。また、ファイアウォール５２を越えて広告用サーバ４０と通信することもできる。
【００３１】
第１記憶部１２９は、ＯＣＲ部１２５及び識別キーワード計数部１２６が取得した、画像情報中に含まれるキーワード及びその出現回数を記憶する機能を備える。
第２記憶部１３０は、近接データ通信制御部１２７がモバイル端末１２から取得したキーワードを、文書入力時に入力された１又は複数のキーワードとして記憶する機能を備える。このキーワードは、文書入力者の嗜好を示すキーワードとして用いる。
第３記憶部１３１は、スキャナ制御部１２２が読み取りで得た画像情報及びその文書名（例えば読み取り時刻から自動で付したもの）を記憶する機能を備える。
以上の第１〜第３記憶部１２９〜１３１が記憶するデータは、ＨＤＤ１０４に保存すればよい。
【００３２】
次に図５に、ＭＦＰ２０が備える、画像の出力及び広告の表示に関連する機能の構成を示す。
図５に示すように、ＭＦＰ２０は、システム制御部２２１、プロッタ制御部２２２、印刷時間見積もり部２２３、操作表示部２２４、データ送出部２２５、データ受信部２２６、近接データ通信制御部２２７、ネットワーク通信制御部２２８、広告取得用キーワード特定部２２９、キーワード比較部２３０、広告情報取得部２３１、広告情報選択部２３２、広告表示制御部２３３、第１記憶部２３４、第２記憶部２３５及び第３記憶部２３６を備える。これらの各部の機能は、ＭＦＰ２０のＣＰＵが所要のプログラムを実行して、図２に示したものと同様なＭＦＰ２０のハードウェアを制御することにより実現されるものである。
【００３３】
このうちシステム制御部２２１は、ＭＦＰ２０全体を制御する機能を備える。
プロッタ制御部２２２は、ＭＦＰ２０のエンジン部に備えるプロッタを制御して、画像情報に基づき用紙に画像を形成して出力する機能を備える。
印刷時間見積もり部２２３は、プロッタ制御部２２２が行う画像形成に要する時間を見積もる予測手段の機能を備える。この見積もりは、例えば、形成すべき画像のページ数及びサイズや、両面や後処理等の設定内容等に基づき行うことができる。
【００３４】
操作表示部２２４は、ＭＦＰ２０の表示部及び操作部を制御して、ユーザに対して情報を表示したり、ユーザからの操作を受け付けたりする機能を備える。
データ送出部２２５は、ネットワーク通信制御部２２８を利用して、ローカルメモリ上のデータをイントラネット５１に送信することができる。
【００３５】
データ受信部２２６は、ネットワーク通信制御部２２８を利用して、イントラネット５１上の装置からデータを受信してローカルメモリに書き込むことができる。例えば、プロッタ制御部２２２により出力すべき画像及びこれと対応するキーワードのデータを、サーバ装置３０から受信することができる。
【００３６】
近接データ通信制御部２２７は、ＭＦＰ２０の近接通信装置を制御して、モバイル端末１２，２２等の外部装置とデータをやりとりする機能を備える。この機能により、例えば、ＭＦＰ２０に画像の出力を実行させようとするユーザ２１のモバイル端末２２から、利用者の興味を示す任意の数のキーワード（第３キーワード）を取得することができる。この場合、近接データ通信制御部２２７が第３取得手段として機能する。
【００３７】
ネットワーク通信制御部２２８は、イントラネット５１に対してパケットデータの送受信を行うものである。また、ファイアウォール５２を越えて広告用サーバ４０と通信することもできる。
【００３８】
広告取得用キーワード特定部２２９は、プロッタ制御部２２２により出力すべき画像と対応する第１キーワード（出現回数の情報も含む）及び第２キーワードと、近接データ通信制御部２２７が取得した第３キーワードとから、表示すべき広告の検索に用いる第４キーワードを特定する特定手段の機能を備える。この特定のアルゴリズムについては、いくつかの例について後に詳述する。
キーワード比較部２３０は、ある１つの文字列と最も似た文字列を複数の文字列の中から１つ選択する機能を備える。
【００３９】
広告情報取得部２３１は、データ送出部２２５を使用して広告用サーバ４０へ広告情報を要求し、データ受信部２２６を使用して広告用サーバ４０から送信される広告情報を受信する機能を備える。この受信により取得した広告情報は、第３記憶部２３６に記憶させる。なお、広告情報取得部２３１は、広告情報の要求に当たり、広告取得用キーワード特定部２２９が特定した第４キーワードを広告用サーバ４０に送信し、そのキーワードと対応するか、または関係の深い広告の情報を要求する。
【００４０】
広告情報選択部２３２は、第３記憶部２３６に記憶されている広告情報のうち、出力に適した広告情報を１つ選択する機能を備える。その基準は、後述する。
広告表示制御部２３３は、制御手段であり、広告情報選択部２３２が選択した広告情報を用いて、ＭＦＰ２０の操作部の表示パネルに、広告を表示させる機能を備える。
【００４１】
第１記憶部２３４は、近接データ通信制御部２２７がモバイル端末２２から取得したキーワードを、文書出力時に入力された１又は複数のキーワードとして記憶する機能を備える。このキーワードは、文書出力者の嗜好を示すキーワードとして用いる。
第２記憶部２３５は、データ受信部２２６がサーバ装置３０から受信した、出力すべき画像の画像データを含む文書データ（画像データ、その画像データから取得した第１キーワード及びその重複出現数、および第２キーワードを対応付けた情報である）を記憶する機能を備える。
第３記憶部２３６は、広告情報取得部２３１が取得した１又は複数の広告情報を記憶する機能を備える。
以上の第１〜第３記憶部２３４〜２３６が記憶するデータは、ＭＦＰ２０のＨＤＤに保存すればよい。
【００４２】
次に図６に、サーバ装置３０が備える、画像の入出力及び広告の表示に関連する機能の構成を示す。
図６に示すように、サーバ装置３０は、システム制御部３２１、データ送出部３２２、データ受信部３２３、ネットワーク通信制御部３２４及び記憶部３２５を備える。これらの各部の機能は、サーバ装置３０のＣＰＵ３０１が所要のプログラムを実行して、図３に示したハードウェアを制御することにより実現されるものである。
【００４３】
このうちシステム制御部３２１は、サーバ装置３０全体を制御する機能を備える。
データ送出部３２２は、ネットワーク通信制御部３２４を利用して、ローカルメモリ上のデータをイントラネット５１に送信することができる。例えば、ＭＦＰ２０に対し、記憶部３２５が記憶している文書データを出力することができる。
【００４４】
データ受信部３２３は、ネットワーク通信制御部３２４を利用して、イントラネット５１上の装置からデータを受信してローカルメモリに書き込むことができる。例えば、ＭＦＰ１０から、スキャナ制御部１２２が読み取りで得た画像データと、その画像データから取得した第１キーワード及びその重複出現数、および第２キーワードを受信することができる。
【００４５】
ネットワーク通信制御部３２４は、イントラネット５１に対してパケットデータの送受信を行うものである。
記憶部３２５は、保存手段として機能し、データ受信部３２３が受信した、画像データと、その画像データから取得した第１キーワード及びその重複出現数、および第２キーワードとを対応付けて文書データとして保存する機能を備える。
【００４６】
以上の画像処理システムによれば、ユーザの指示に応じてＭＦＰ１０により文書の画像データを読み取りにより入力してサーバ装置３０に保存し、その後ユーザの指示に応じてＭＦＰ２０によりその画像データを画像形成出力することができる。また、画像形成出力中に、ＭＦＰ２０に、ユーザに対し広告を表示させることができる。
この動作の具体的な手順は種々考えられるが、以下、そのいくつかの例について説明する。なお、以下に説明する各動作例は、複数のうちどれを用いるかを切り替えることができるようにしても、１つのみ実行可能としてもよい。
【００４７】
〔第１動作例：図７及び図８〕
まず、図７に、画像処理システムを構成するＭＦＰ１０，２０及びサーバ装置３０が上記の一連の動作を実行する場合の動作手順の第１例を示す。なお、図７には、ユーザが行う操作と装置が行う動作が混在しており、上長台形の枠が、ユーザが行う操作を示す。長方形の枠が、いずれかの装置が行う動作を示す。
【００４８】
図７に示す動作手順においては、まずユーザ１１が、ＭＦＰ１０の近接通信装置１０８へ、自身が所有するモバイル端末１２をかざす（Ｓ１）。すると、ＭＦＰ１０の近接通信装置１０８（機能としては近接データ通信制御部１２７）は、モバイル端末１２と近接通信を行い、モバイル端末１２に保存されている、ユーザ１１の興味を示す文字列情報（第２キーワード）を取得し、第２記憶部１３０に記憶させる（Ｓ２）。この動作が、第２取得手順の動作である。また、ステップＳ２が済むと、ＭＦＰ１０は、画像の読み取り指示を受け付ける状態になる。
【００４９】
次に、ユーザ１１は、ＭＦＰ１０に読み取り対象の文書をセットし、必要な設定を行って、読み取り（入力）実行を指示する（Ｓ３）。この指示があると、ＭＦＰ１０は、スキャナ制御部１２２の機能により、セットされた文書をスキャンしてその画像データを第３記憶部１３１に記憶させる。このとき、システム制御部１２１は、画像データの文書名を作成して第３記憶部１３１へ、画像データの書誌情報として記憶する。ここでは文書名は簡易的にスキャン実施時の日時とする。また、ＭＦＰ１０において、ＯＣＲ部１２５が、読み取りで得た画像データに対しＯＣＲ処理を行い、画像に含まれるキーワードの文字列情報（第１キーワード）を取得し、第１記憶部１２９に記憶させる（Ｓ４）。この動作が、読取手順及び第１取得手順の動作である。なお、この動作例では、第１キーワードの重複出現回数の情報は不要である。
【００５０】
次に、ＭＦＰ１０は、第１記憶部１２９、第２記憶部１３０及び第３記憶部１３１に記憶した、読み取った原稿についての情報をサーバ装置３０へ送信する（Ｓ５）、ここで送信するデータは、文書名、画像データ、第１キーワード、および第２キーワードである。
サーバ装置３０は、これらの情報を受信すると、これらを対応付けて文書データとして記憶部３２５に保存する（Ｓ６）。この動作が、保存手順の動作である。
以上で、文書の入力に関する動作が終了する。ステップＳ６と、次のステップＳ７は、時間的に離れていても構わないし、実行するユーザは、異なっていても、同一でも構わない。
【００５１】
次に、ユーザ２１が、ＭＦＰ２０の近接通信装置へ、自身が所有するモバイル端末２２をかざす（Ｓ７）。すると、ＭＦＰ２０の近接通信装置（機能としては近接データ通信制御部２２７）は、モバイル端末２２と近接通信を行い、モバイル端末２２に保存されている、ユーザ２１の興味を示す文字列情報（第３キーワード）を取得し、第１記憶部２３４に記憶させる（Ｓ８）。この動作が、第３取得手順の動作である。また、ステップＳ８が済むと、ＭＦＰ２０は、画像の出力指示を受け付ける状態になる。
【００５２】
そして、ＭＦＰ２０のシステム制御部２２１は、サーバ装置３０に対して、保存済み文書の文書名の一覧を要求する。サーバ装置３０のシステム制御部３２１は、一覧要求を受けると、記憶部３２５に記憶している文書の一覧をＭＦＰ２０に送信するので、ＭＦＰ２０はこれを取得できる（Ｓ９）。文書の数が多すぎる場合、何らかの条件で絞り込みができるようにするとよい。
【００５３】
次に、ＭＦＰ２０の操作表示部２２４が、ステップＳ９で取得した一覧を表示し（Ｓ１０）、その中から出力すべき文書の選択を受け付ける。
ユーザ２１は、その中から文書を１つ選択して印刷を指示する（Ｓ１１）。この指示があると、ＭＦＰ２０は、印刷を指示された文書の文書データをサーバ装置３０に要求する。サーバ装置３０では、システム制御部３２１がその要求を受信し、記憶部３２５が記憶している文書データ群の中から、名称等に基づき指示された文書データを検索し、ＭＦＰ２０へ送信する。ＭＦＰ２０は、その送信された文書データを取得し、第２記憶部２３５に記憶させる（Ｓ１２）。なお、ＭＦＰ２０は、文書データの取得により、ＯＣＲ処理で得た第１キーワードと、文書の入力を行った入力利用者から得た第２キーワードも取得することになる。
【００５４】
次に、ＭＦＰ２０は、これらの第１キーワード及び第２キーワードと、ステップＳ８で、文書の出力を希望する出力利用者から得た第３キーワードとから、広告取得用の第４キーワードを特定する（Ｓ１３）。この動作が、特定手順の動作である。第４キーワードの特定方法の詳細は、図８を用いて後述する。ステップＳ１３の後、ＭＦＰ２０は、特定した広告取得用キーワードを広告用サーバ４０に渡し、これと対応する広告情報を要求する（Ｓ１４）。
【００５５】
広告用サーバ４０は、この要求を受けると、多数の広告情報がキーワードと対応付けて登録されるデータベースから、渡された広告取得用キーワードと対応するか又は関連する広告情報を検索する（Ｓ１５）。そして、検索で発見した広告情報を、要求元のＭＦＰ２０に送信する（Ｓ１６）。なお、広告情報とは、ＭＦＰ２０にて表示させる広告の内容を示す情報であり、例えば動画ファイルである。
【００５６】
ＭＦＰ２０は、広告用サーバ４０から送信された広告情報を受信し、第３記憶部２３６に記憶させる（Ｓ１７）。その後、ステップＳ１１で指示された文書の印刷を開始し、その印刷中に、ステップＳ１７で受信した広告情報に基づく広告の表示（動画データであれば動画の再生）を行う（Ｓ１８）。この動作が出力手順及び制御手順の動作に該当する。そして、ＭＦＰ２０は、印刷の終了と同時に広告の表示を終了して（Ｓ１９）、図７の動作を終了する。
【００５７】
次に、図８を用いて、第１動作例における広告取得用キーワードの特定方法について説明する。
図８は、ＯＣＲ処理で得た第１キーワード６１、入力利用者から得た第２キーワード６２及び出力利用者から得た第３キーワード６３について、それぞれ含まれるキーワードの分布を模式的に表したものである。
【００５８】
このうち第３キーワード６３は、ＭＦＰ２０を操作する文書出力者の興味を直接的に表すキーワードであるが、第１キーワード６１も、出力者が出力しようとした文書に含まれるキーワードであり、出力者の興味を反映していると考えられる。また、第２キーワード６２は、今回出力しようとした文書を入力したユーザの興味を示すキーワードであるが、この入力者は、出力者と同じ文書に興味を持っていることから、興味の対象がある程度近いと考えられる。また、入力者と出力者は文書のやりとりを行う関係であるため、この点からも、共通する興味を持っている可能性がある。
【００５９】
そこで、第１動作例においては、第１キーワード６１と第２キーワード６２と第３キーワード６３の全てに共通して含まれるキーワードについて、出力者の興味が最も高いと考え、そのようなキーワード（図８の矢印Ａで示す領域のキーワード）を広告取得用キーワードとして特定する。図８の例ではこの領域に１つしかキーワードがないが、複数あった場合には、後の動作例で説明するように他の要素も考慮するか、またはランダムで選択すればよい。ゼロの場合には、後の動作例の特定方法を試みるとよい。
【００６０】
以上のように特定した広告取得用キーワードに関連する広告は、ＭＦＰ２０を操作する出力者の興味が高いと考えられる。第１キーワード６１や第３キーワード６３の数が多い場合でも、第１〜第３キーワードの３つの共通部分を取ることにより、ユーザの興味が深い事柄のキーワードに効果的に絞り込むことができるためである。従って、このような広告を表示することにより、画像の出力を行うユーザに対し、そのユーザが興味のある情報を確実性よく提示できると考えられる。
【００６１】
〔第２動作例：図９及び図１０〕
次に、図９に、画像処理システムを構成するＭＦＰ１０，２０及びサーバ装置３０が上記の一連の動作を実行する場合の動作手順の第２例を示す。なお、図９の動作において、図７と相違するのは、ステップＳ３１〜Ｓ３３の箇所のみであり、図７と共通の動作は、同じステップ番号を用いて示した。ここでは、相違する箇所の動作のみ説明する。
【００６２】
まず、図９の動作においては、ＭＦＰ１０は、ステップＳ３１（図７のステップＳ４と対応）にて、読み取った画像データをＯＣＲ処理する際に、抽出したキーワードが画像中に重複して出現する回数を計数する。そして、ステップＳ３２（図７のステップＳ５と対応）にて、ＯＣＲ処理で得たキーワードについては、キーワード毎にその重複出現回数のデータをサーバ装置３０に送信して保存させる。
【００６３】
そして、ＭＦＰ２０は、文書データと共にその重複出現回数のデータも取得し、ステップＳ３３（図７のステップＳ１３と対応）における広告取得用キーワードの特定に際し、その重複出現回数の情報も利用して特定を行う。
【００６４】
次に、図１０を用いて、第２動作例における広告取得用キーワードの特定方法について説明する。
図１０は、ＯＣＲ処理で得た第１キーワード６１、入力利用者から得た第２キーワード６２及び出力利用者から得た第３キーワード６３について、それぞれ含まれるキーワードの分布を模式的に表したものである。また、第１キーワード６１については、重複出現回数の情報も、マークの形状により表している。第１キーワード６１に含まれないキーワードについては、重複出現回数の計数を行っていないため、白抜きの丸でこれを示している。
【００６５】
この第２動作例においても、まずは、第１キーワード６１と第２キーワード６２と第３キーワード６３の全てに共通して含まれるキーワードを広告取得用キーワードとして特定するよう試みる。しかし、この条件で候補が複数ある場合、重複出現回数が最も多いキーワードを、最も興味が深いキーワードとみなし、広告取得用キーワードとして特定する。図１０の例では、矢印Ｂで示すキーワードの重複出現回数が３であり、候補の中で最も多いため、これを広告取得用キーワードとして特定する。
以上の手法によれば、キーワードの数が多い場合でも、画像の出力を行うユーザが興味のある事項のキーワードを、確実性よく特定できると考えられる。
【００６６】
〔第３動作例：図１１及び図１２〕
次に、図１１に、画像処理システムを構成するＭＦＰ１０，２０及びサーバ装置３０が上記の一連の動作を実行する場合の動作手順の第３例を示す。なお、図１１の動作において、図７と相違するのは、ステップＳ４１の箇所のみであり、図７と共通の動作は、同じステップ番号を用いて示した。ここでは、相違する箇所の動作のみ説明する。
【００６７】
図１１の動作においては、ＭＦＰ２０が、ステップＳ４１（図７のステップＳ１３と対応）にて、広告取得用キーワードの特定に際し、キーワードの文字列同士の近似性も考慮して特定を行う点が、図７と異なるのみである。
次に、図１２を用いて、第３動作例における広告取得用キーワードの特定方法について説明する。
【００６８】
図１２は、ＯＣＲ処理で得た第１キーワード６１、入力利用者から得た第２キーワード６２及び出力利用者から得た第３キーワード６３について、それぞれ含まれるキーワードの分布を模式的に表したものである。
この第３動作例においても、まずは、第１キーワード６１と第２キーワード６２と第３キーワード６３の全てに共通して含まれるキーワードを広告取得用キーワードとして特定するよう試みる。しかし、この条件で候補が複数ある場合、候補の中で、第３キーワードと関連の強い文字列であるキーワードを、広告取得用キーワードとして特定する。
【００６９】
なお、各候補と第３キーワードとの関連の強さは、例えば、第３キーワードの中に、各候補と文字が共通するキーワードがいくつあるかにより評価することができる。
図１２の例では、第１〜第３キーワードの全てに共通して含まれるキーワードは「天気」「車」及び「お茶」である（矢示Ａ）。このうち「天気」については、第３キーワード中で文字が共通するキーワードは、「天気」自身のみである。「車」については、「車」自身の他に「車庫」がある。「茶」については、「茶」自身の他に「緑茶」「ウーロン茶」「喫茶店」の３つがある。従って、文字が共通するキーワードの数が多い「茶」（矢示Ｂ）が、第３キーワードと関連が強いと評価することができる。
【００７０】
以上の手法によっても、キーワードの数が多い場合でも、画像の出力を行うユーザが興味のある事項のキーワードを、確実性よく特定できると考えられる。なお、第３キーワードとの関連を見るのは、このキーワードが、画像の出力を行うユーザの興味をストレートに表すキーワードであると考えられるためである。
【００７１】
〔第４動作例：図１３乃至図１５〕
次に、図１３に、画像処理システムを構成するＭＦＰ１０，２０及びサーバ装置３０が上記の一連の動作を実行する場合の動作手順の第４例を示す。なお、図１３の動作において、図９と相違するのは、ステップＳ５１及びＳ５２の箇所のみであり、図９と共通の動作は、同じステップ番号を用いて示した。ここでは、相違する箇所の動作のみ説明する。
【００７２】
すなわち、図１３の動作においては、ＭＦＰ２０が、ステップＳ５１（図９のステップＳ３３と対応）にて、ＯＣＲ処理で得た第１キーワードの重複出現回数の情報も利用して、広告取得用キーワードの特定を行う。そして、この特定において、第１〜第３キーワードの全てに共通して含まれるキーワードがない場合には、ステップＳ５２において、第１キーワード６１と第２キーワード６２とに共通して含まれるキーワード及び第１キーワード６１と第３キーワード６３とに共通して含まれるキーワードのいずれかを、広告表示用キーワードとして特定する。このとき、第１キーワード６１中の各キーワードの重複出現回数を考慮し、かつ、第１キーワード６１と第３キーワード６３とに共通して含まれるキーワードを優先的に特定するようにする。
【００７３】
次に、図１４を用いて、第４動作例における広告取得用キーワードの特定方法について説明する。
図１４は、ＯＣＲ処理で得た第１キーワード６１、入力利用者から得た第２キーワード６２及び出力利用者から得た第３キーワード６３について、それぞれ含まれるキーワードの分布を模式的に表したものである。
【００７４】
この第４動作例においては、第２キーワード６２と第３キーワード６３に共通部分が全くないため、第１キーワード６１と第２キーワード６２と第３キーワード６３の全てに共通して含まれるキーワードは存在しない。
この場合、第１キーワード６１と第２キーワード６２とに共通して含まれるキーワード（矢印Ｃのエリア）及び第１キーワード６１と第３キーワード６３とに共通して含まれるキーワード（矢印Ｄのエリア）にポイントを付し、最もポイントが高いキーワードを広告取得用キーワードとして特定するようにしている。
【００７５】
このとき、基本のポイントを、第１キーワード６１中での重複出現回数とし、第１キーワード６１と第３キーワード６３とに共通して含まれるキーワードについては、優先的に特定するため、基本のポイントを２倍したポイントを付す。
このため、符号Ｅで示すキーワードは、符号Ｆで示すキーワードよりも重複出現回数が多いが、ポイントは符号Ｆで示すキーワードが高くなる。そして、最高点の符号Ｆで示すキーワードを、広告取得用キーワードとして特定する。
【００７６】
以上の方法によれば、第１〜第３キーワードの全てに共通して含まれるキーワードがない場合でも、画像の出力を行うユーザが興味のある事項のキーワードを、確実性よく特定できると考えられる。なお、第３キーワードに含まれるキーワードを優先するのは、このキーワードが、画像の出力を行うユーザの興味をストレートに表すキーワードであると考えられるためである。
【００７７】
ここで、図１５に、第１〜第３キーワードに含まれるキーワードの分布の別の例を示す。このように、第１〜第３キーワードに含まれるキーワードの分布に全く重なりがない場合、広告取得用キーワードの特定を行わないようにする。
この場合、ＭＦＰ２０は、広告用サーバ４０へは、キーワードの送信を行わずに広告情報を要求する。そして、広告用サーバ４０は、この場合、任意に広告情報を選択してＭＦＰ２０に送信するか、又は広告情報を送信しない。いずれの構成も取り得るが、後者の場合、印刷中に広告の表示は行わないことになる。
【００７８】
〔第５動作例：図１６〕
次に、図１６に、画像処理システムを構成するＭＦＰ１０，２０及びサーバ装置３０が上記の一連の動作を実行する場合の動作手順の第５例を示す。なお、図１６の動作において、図７と相違するのは、ステップＳ６１及びＳ６２の箇所のみであり、図７と共通の動作は、同じステップ番号を用いて示した。ここでは、相違する箇所の動作のみ説明する。
【００７９】
すなわち、図１６の動作においては、ＭＦＰ２０が、ステップＳ６１（図７のステップＳ１７と対応）にて、広告用サーバ４０から複数の広告情報を受信し、その中から、これから行おうとする印刷時に表示するために好適な広告情報を１つ選択する。そして、ステップＳ６２（図７のステップＳ１８と対応）にて、その選択した広告情報の広告を表示する。
【００８０】
ステップＳ６１での選択の基準は、例えば以下のものである。
まず、印刷時間見積もり部２２３が、ステップＳ６２で実行しようとする印刷に要する時間を見積もる。一方、広告情報選択部２３２は、広告用サーバ４０から受信した各広告情報について表示時間を求める。動画ファイルの再生時間長等である。繰り返し表示する広告の場合、１周期の時間長を示す。
【００８１】
そして、広告情報選択部２３２は、上記「印刷に要する時間」と「表示時間」とを比較して、時間的に最も適した広告を一つ選択する。
例として、広告の選択肢は以下とする。
広告１．アニメーション表示時間
３秒
広告２．同 ５秒
広告３．同 １０秒
印刷時間の見積もり値は６秒とする。
【００８２】
広告は最低限１周期は表示したいので、広告表示時間＜残りの印刷時間、を満たす広告を選択する。この例では広告１と広告２が満たしている。印刷時間の時間尺に近い方が適していると判断して、本例では広告２を表示する。
このような選択を行うことにより、広告表示する時間に合った広告を表示することができる。
なお、１つめの広告の表示が終わった時点で「印刷に要する残り時間」を予測し、同様に次に表示すべき広告を選択することも考えられる。
【００８３】
また、別の選択基準として、広告の表示に用いる表示手段の表示機能の水準と、広告情報が示す広告の表示に適した表示機能の水準とを考慮して選択することも考えられる。表示機能の水準とは、例えば色数やドット数である。
例えば、広告情報選択部２３２は、広告用サーバ４０から受信した各広告情報について使用している色数を求め、ＭＦＰ２０の表示部が表示可能な色数に適した広告情報を選択することが考えられる。
【００８４】
例として、表示部のカラー仕様はモノクロの場合を記載する。広告の選択肢は以下とする。
広告１．２色使用
広告２．２５６色使用
広告３．６５５３６色使用
【００８５】
モノクロの表示装置での表示で広告内容を効果的にアピールできる広告の色数は、最も色数が少ない広告１なので、本例では広告１を表示する。
このような選択を行うことにより、広告の色使い（単色／２色／フルカラーなど）と表示装置のカラー／モノクロ表示仕様を鑑みて表示する広告を選択するため、カラー表示必須な広告をモノクロ表示してしまうような色による広告表示上の問題を回避できる。
【００８６】
また、広告情報選択部２３２は、広告用サーバ４０から受信した各広告情報について縦横の画素数を求め、表示部の画素数と比べて適した広告情報を選択することが考えられる。
例として、表示部の画素数が３２０ｘ２４０dotの場合を記載する。広告の選択肢は以下とする。
広告１．３００ｘ１９０dot
広告２．４００ｘ６００dot
広告３．９６０ｘ１２００dot
【００８７】
広告２と広告３場合は表示部の画素数より広告の画素数の方が多いため、これらの広告を表示するためには広告の画像データを間引いたものを表示する必要がある。間引きを行うと、画層が荒くなる（ぼやける）、細かい文字などの画像は認識しづらくなる、といった問題が起こりうる。そのため本例では、表示部の画素数
＞ 広告の画素数、である広告１を選択して表示する。
このような選択を行うことにより、画面サイズに合ったサイズの広告を選択して表示することができるため、画面サイズに起因した文字の見づらさなどの現象（問題）を回避できる。
【００８８】
以上で実施形態の説明を終了するが、この発明において、各部の具体的な構成や処理の手順、取り扱うデータの構成及び形式、装置の台数や機能分担等は、実施形態で説明したものに限られない。
例えば、上述した実施形態では、第４キーワードに基づき取得した情報が広告であり、その提示を表示により行う例について説明したが、これには限られない。提示する情報は、社内報や連絡事項、娯楽作品など、広告以外の情報でも構わない。また、提示の手法も、画面への表示だけでなく、投影、印刷出力、音声出力など、任意の方法で構わない。
【００８９】
また、情報の提示を行う提示手段は、ＭＦＰ１０又は２０の一部でなくてもよい。画像の出力を行う出力手段との対応関係が把握できれば、外部のディスプレイ等に情報を提示させてもよい。
また、第２取得手段及び第３取得手段による情報の取得は、情報端末からの取得に限られない。アンケート形式で選択肢を提示してユーザに選ばせるなど、ユーザから直接入力を受け付けてもよい。
また、保存手段が保存した画像の出力先が、予め決まっていてもよい。すなわち、読み取った画像の保存を、長期に保管するためではなく、予め設定してある後段の出力処理を行うまでの一時的な保管として行う場合でも、この発明は適用可能である。
【００９０】
また、上述した実施形態におけるＭＦＰ１０，２０及びサーバ装置３０の機能は、複数の情報処理装置に分散して設けたり、または１台の情報処理装置や画像処理装置にまとめて設けたりしてもよい。すなわち、ＭＦＰ１０又はＭＦＰ２０にサーバ装置３０の機能を設けてもよい。ＭＦＰ１０又はＭＦＰ２０が、入力機（画像入力装置）と出力機（画像出力装置）の役割を両方果たす、画像入出力装置として機能するようにしてもよい。入力機と出力機に加え、サーバ装置３０の機能も、１台の装置にまとめて設けてもよい。また、第１〜第３キーワードから広告取得用キーワードを特定する機能を、出力機として機能するＭＦＰ以外の装置に設けても構わない。
また、以上説明してきた実施形態及び変形例の構成は、相互に矛盾しない限り任意に組み合わせて実施可能であることは勿論である。逆に、実施形態及び変形例の特徴点は、具体的に記載した組み合わせだけでなく、個別にも実施可能である。
【符号の説明】
【００９１】
１０，２０：ＭＦＰ、１１，２１：ユーザ、１２，２２：モバイル端末、１３，２３：近距離無線通信、３０：サーバ装置、４０：広告用サーバ、５１：イントラネット、５２：ファイアウォール、５３：インターネット、６１〜６３：第１〜第３キーワード、１０１，３０１：ＣＰＵ、１０２，３０２：ＲＯＭ、１０３，３０３：ＲＡＭ、１０４，３０４：ＨＤＤ、１０５，３０５：通信Ｉ／Ｆ、１０６：表示部、１０７：操作部、１０８：近接通信装置、１０９：エンジンＩ／Ｆ、１１０，３０７：システムバス、１１１：エンジン部、１２１，２２１，３２１：システム制御部、１２２：スキャナ制御部、１２３，２２５，３２２：データ送出部、１２４，２２４：操作表示部、１２５：ＯＣＲ部、１２６：識別キーワード計数部、１２７，２２７：近接データ通信制御部、１２８，２２８，３２４：ネットワーク通信制御部、１２９，２３４：第１記憶部、１３０，２３５：第２記憶部、１３１，２３６：第３記憶部、２２２：プロッタ制御部、２２３：印刷時間見積もり部、２２６，３２３：データ受信部、２２９：広告取得用キーワード特定部、２３０：キーワード比較部、２３１：広告情報取得部、２３２：広告情報選択部、２３３：広告表示制御部、３０６：ＵＩ部、３２５：記憶部
【先行技術文献】
【特許文献】
【００９２】
【特許文献１】特開２０１２−２４４４２７号公報
【特許文献２】特開２００９−２２５２６３号公報
【特許文献３】特開２００７−３６４１９号公報
【図１】
2015176577.tif 000003
【図２】
2015176577.tif 000004
【図３】
2015176577.tif 000005
【図４】
2015176577.tif 000006
【図５】
2015176577.tif 000007
【図６】
2015176577.tif 000008
【図７】
2015176577.tif 000009
【図８】
2015176577.tif 000010
【図９】
2015176577.tif 000011
【図１０】
2015176577.tif 000012
【図１１】
2015176577.tif 000013
【図１２】
2015176577.tif 000014
【図１３】
2015176577.tif 000015
【図１４】
2015176577.tif 000016
【図１５】
2015176577.tif 000017
【図１６】
2015176577.tif 000018